(57)【要約】【課題】従来の移動体通信機器と固定電話機との通話は、移動体通信機器同士の通話よりもコストが高く、移動体通信機器ユーザーの経済的な負担が大きいので、この問題を解決するコストが安く使い勝手が良く、汎用性のある移動体通信機器と固定電話機との通話システムの実現が求められている。【解決手段】本発明は、無線交換機を移動体通信機を公衆電話回線とインターネット回路網とに識別信号に応じて切り替え接続が行えるように設定するとともに、インターネット回路網に接続する場合には音声信号処理を行うＶＯＩＰに対応した機能を持ったＶＯＩＰ交換機を通してインターネット回路網に接続し、ＩＰアドレスが設定されている電話機に接続するように構成して、インターネットに接続された固定電話機に公衆電話回線を使用せずに通話を行えるようにして従来の移動体通信機器の問題点を解決したものである。【選択図】　　　　　　　図１
2004048215.tif 000002
【特許請求の範囲】
【請求項１】
移動体通信機より固定電話機に通信を行う場合に公衆電話回線とインターネット回路網とを区別する識別信号を付けた電話番号を無線交換機に送信し、
無線交換機を移動体通信機の識別信号に応じて公衆電話回線とインターネット回路網とに切替え接続を行うように設定して、
インターネット回路網に接続する場合には音声信号処理を行うＶＯＩＰに対応した機能を持ったＶＯＩＰ交換機を通してインターネット回路網に接続し、
インターネット回路網の中のＶＯＩＰ交換機を特定するＩＰアドレスとＩＰアドレスで特定されたＶＯＩＰ交換機に登録されている移動体通信機のＩＰアドレスと電話番号を対にして設定されている登録データを持ち電話番号とＩＰアドレスの登録データの管理を行うゲートキーパー機能を持ったＶＯＩＰサーバーを設け、
移動体通信機より無線交換機とＶＯＩＰ交換機とインターネット回路網を通してＶＯＩＰサーバーにアクセスし接続先の電話番号を指定することにより指定した接続先のインターネットのＩＰアドレスが設定されている電話機に接続することにより、
ＶＯＩＰ交換機を介してインターネットプロバイダに接続された電話機に公衆電話回線を使用せずに通話を行えるようにした移動体通信機器によるインターネット電話システム。
【請求項２】
固定電話機に通信を行う場合に公衆電話回線とインターネット回路網とを区別する識別信号を付けた電話番号を無線交換機に送信する移動体通信機、
移動体通信機器の識別信号に応じて移動体通信機を公衆電話回線とインターネット回路網とに切り替え接続が行えるように設定された無線交換機、
移動体通信機器をインターネット回路網に接続するための音声信号処理を行うＶＯＩＰに対応した機能と、移動体通信機の電話番号とこれに対応するインターネットのＩＰアドレスを対にして設定されているデータを持ち電話番号とＩＰアドレスのデータの管理を行う機能を持ったＶＯＩＰ交換機、
インターネット回路網の中に設けられたＶＯＩＰ交換機を特定するＩＰアドレスとＩＰアドレスで特定されたＶＯＩＰ交換機に登録されている移動体通信機のＩＰアドレスと電話番号を対にして設定されている登録データを持ち電話番号とＩＰアドレスの登録データの管理を行うゲートキーパー機能を持ったＶＯＩＰサーバー、とを具備し、
移動体通信機器をインターネット回路網に接続する場合には識別信号により無線交換機とＶＯＩＰ交換機とインターネット回路網を通してＶＯＩＰサーバーにアクセスし接続先の電話番号を指定することにより、指定した接続先のインターネットのＩＰアドレスが設定されている電話機に接続するように構成して、ＶＯＩＰ交換機を介してインターネットプロバイダに接続された電話機に公衆電話回線を使用せずに通話を行い、又、接続先の電話機にインターネットのＩＰアドレスが設定されていない場合には無線交換機を介して公衆電話回線を通して通話を行えるようにした移動体通信機器によるインターネット電話システム。
【請求項３】
請求項１又は請求項２において、移動体通信機器を特定する電話番号には移動体通信機器の電話番号を使用することを特徴とするインターネットを使用した電話システム。
【請求項４】
請求項１又は請求項２において、移動体通信機器を公衆電話回線とインターネット回路網と接続の識別信号として、移動体通信機器の電話番号の前に特定のボタンを押すか又は識別番号を付けることを特徴とするインターネットを使用した電話システム。
【請求項５】
請求項１又は請求項２において、移動体通信機器を特定するインターネットのＩＰアドレスに、移動体通信機器の無線交換機が接続されているプロバイダーが割り当てた無線交換機のＩＰアドレスと、移動体通信機器のＩＰアドレスを使用することを特徴とするインターネットを使用した電話システム。
【発明の詳細な説明】
【０００１】
【発明の属する技術分野】
本発明は、携帯電話等の移動体通信機器をインターネットの回路網を介して公衆回線の固定電話機に接続して通話を行なえるようにした移動体通信機器によるインターネット電話システムに関するものである。
本発明の移動体通信機器によるインターネット電話システムは、携帯電話等の移動体通信機器とインターネットプロバイダに接続された固定電話機の間で公衆電話回線を使用せずに通話が行えるようにして移動体通信機器の経済性と汎用性を高めたものである。
【０００２】
【従来の技術】
携帯電話等の移動体通信機器はその性能の急速な発達とその使い勝手の良さにより普及率を高めており、現在では公衆電話回線に接続された固定電話機の数を越える数の機器が使用されておりその数が増加し続けている。
移動体通信機器は固定電話とは別の電話番号体系を持ち、移動体通信業者の無線交換機を介して、移動体通信業者と契約を行った携帯電話機の間での接続が行われている。
このため、移動体通信機器から固定電話に接続を行う場合は、図６に示すように、移動体通信機器より移動体通信業者の無線交換機に接続され、その後ＮＴＴの交換機を介して公衆電話回線に接続され固定電話機を呼出すために、移動体通信機器と固定電話機との通話は、移動体通信機器同士の通話よりもコストが高くなるため移動体通信機器ユーザーの経済的負担が大きくなっている。
【０００３】
一方、インターネットを使用した電話システムは通信コストが低減されるために急速に普及しつつあり、各種の方式が提案され実用化されている。
インターネットを使用した電話システムでは、音声データの送受信にコンピュータの標準プロトコルであるＩＰ（Ｉｎｔｅｒｎｅｔ　Ｐｒｏｔｏｃｏｌ）を使って伝送する、ＶＯｌＰ（Ｖｏｌｃｅ　ｏｖｅｒ　ＩＰ）技術を使用しており、音声を小さいデータのブロックに分け、そのブロックを空き回線を選んで送受信するために、従来の電話のように、通話中に端末間を通信が終了するまで回線を占有しないために、一回線で複数の通話を流せるため通信の効率的が良く料金を安く抑えられる特徴を持っている。
このインターネットを使用した電話システムには、専用ソフトを入れたパソコンを使ってインターネット網を介して通信する方式と、インターネット専用電話機を使用してＩＰ用の専用回線を使って通信を行う方式があるが、これらの方式はそれぞれ各種の制約があり、必ずしも使い勝手の良いものではなく、携帯電話等の移動体通信機器を使用したインターネット電話システムは未だ実現されていない。
【０００４】
【発明が解決しようとする課題】
従来の移動体通信機器と固定電話機との通話は、移動体通信機器同士の通話よりもコストが高く、移動体通信機器ユーザーの経済的な負担が大きいので、この問題を解決するコストが安く使い勝手が良く、汎用性のある移動体通信機器と固定電話機との通話システムの実現が求められている。
【０００５】
【課題を解決するための手段】
本発明は、移動体通信機より固定電話機に通信を行う場合に、公衆電話回線とインターネット回路網とを区別する識別信号を付けた電話番号を送信し、
移動体通信業者の無線交換機を移動体通信機を公衆電話回線とインターネット回路網とに識別信号に応じて切り替え接続が行えるように設定するとともに、インターネット回路網に接続する場合には音声信号処理を行うＶＯＩＰに対応した機能を持ったＶＯＩＰ交換機を通してインターネット回路網に接続し、
インターネット回路網の中にＶＯＩＰ交換機を特定するＩＰアドレスとＩＰアドレスで特定されたＶＯＩＰ交換機に登録されている移動体通信機のＩＰアドレスと電話番号を対にして設定されている登録データを持ち電話番号とＩＰアドレスの登録データの管理を行うゲートキーパー機能を持ったＶＯＩＰサーバーを設け、移動体通信機より移動体通信業者の無線交換機とＶＯＩＰ交換機とインターネット回路網を通してＶＯＩＰサーバーにアクセスし接続先の電話番号を指定することにより、指定した接続先のインターネットのＩＰアドレスが設定されている電話機に接続するように構成して、インターネットプロバイダに接続された固定電話機に公衆電話回線を使用せずに通話を行えるようにすることにより、従来の移動体通信機器の問題点を解決したものである。
本発明の移動体通信機器によるインターネット電話システムでは、あらかじめ各移動体通信機器と固定電話機に割り当てられた電話番号をそのまま使用することにより、移動体通信機器と固定電話機との間のインターネット回路網を通した通話及び公衆電話回線を通した通話が容易に実現できる。
【０００６】
【発明の実施の形態】
図１は、本発明の移動体通信機器によるインターネット電話システム一実施例の構成例を示す説明図である。
図１において、１０，１１は移動体通信機である。２０は移動体通信業者の無線交換機である。無線交換機２０は、移動体通信機間の接続交換を行うとともに、移動体通信機を公衆電話回線とインターネット回路網とに識別信号に応じて切り替え接続が行えるように設定されている。
無線交換機２０は、移動体通信機から送られる識別信号に応じて移動体通信機をインターネットへの接続とするか、公衆回線への接続とするかの選択接続を行う。
３０は、移動体通信機をインターネット回路網に接続を行うＶＯＩＰ交換機である。ＶＯＩＰ交換機３０は、移動体通信機器をインターネット回路網に接続するための音声信号処理を行うＶＯＩＰに対応した機能と、移動体通信機の電話番号とこれに対応するインターネットのＩＰアドレスを対にして設定されているデータを持ち電話番号とＩＰアドレスのデータの管理を行う機能を持ち、無線交換機２０に無線接続された移動体通信機から送られる識別信号に応じて移動体通信機をインターネットのネットワークに接続とするか、ＮＴＴ交換機を介して公衆回線のアナログ電話機に接続とするかの選択を行う。
【０００７】
４０は、インターネットプロバイダ間を接続するインターネット回路網である。インターネット回路網４０は複数のインターネットプロバイダが接続されている。４１，４２はインターネットプロバイダのアクセスポイントである。アクセスポイント４１，４２は、ダイヤルアップ接続サービスを行うためのインターネットプロバイダのアクセスサーバーやルーターなどに接続されており、すべてのユーザーはアクセスポイントを通してインターネットプロバイダに接続されている。インターネットプロバイダはネットワークオペレーションセンター（ＮＯＣ）と複数のアクセスポイント４１，４２とそれらを相互に接続する高速デジタル回線から構成されており、専用線で他のインターネットサービスプロバイダと接続することによりインターネット回路網上の通信を実現している。
【０００８】
５０はＶＯＩＰサーバーである。ＶＯＩＰサーバー５０はインターネット回路網の中のＶＯＩＰ交換機を特定するＩＰアドレスとＩＰアドレスで特定されたＶＯＩＰ交換機に登録されている移動体通信機のＩＰアドレスと電話番号を対にして設定されている登録データを持ち電話番号とＩＰアドレスの登録データの管理を行うゲートキーパー機能を持っている。
６０は、ＮＴＴの交換機、７０は、公衆回線のアナログ電話網である。
８０は、ＶＯＩＰアダプターである。ＶＯＩＰアダプターは、各ＶＯＩＰアダプターに割り当てられた電話番号（ユーザーＩＤ）と、ＶＯＩＰアダプターが接続されているＷＡＮ側のＩＰアドレスと、ＶＯＩＰアダプターのＩＰアドレスのデータテーブルを持ち、電話番号（ユーザーＩＤ）とＷＡＮ側のＩＰアドレスとＶＯＩＰアダプターのＩＰアドレスの対応テーブルなどの管理を行うゲートキーパー機能を持っている。９０は公衆回線の電話機である。
【０００９】
移動体通信機器１０は、移動体通信業者の無線交換機２０とＶＯＩＰ交換機３０を介してインターネットプロバイダのアクセスポイント４１に接続され、アクセスポイント４１を通してインターネット回路網４０とに接続されている。
又、移動体通信業者の無線交換機２０とＮＴＴ交換機６０介して公衆回線のアナログ電話網７０に接続されている。インターネット回路網４０にはＶＯＩＰサーバー５０が接続されている。
インターネット回路網４０のアクセスポイント４２にはＶＯＩＰアダプター８０を介して公衆回線の電話機９０が接続されている。
図２は、ＶＯＩＰサーバー５０のデータテーブルの構成を示したものである。図２に示すように、ＶＯＩＰサーバーのデータテーブルは、ＶＯＩＰサーバーが管理しているインターネット回路網４０に接続されたすべての移動体通信業者のＶＯＩＰ交換機３０にプロバイダーが割り当てたＩＰアドレス（ＷＡＮ側のＩＰアドレス）と、移動体通信業者の無線交換機２０に接続されている全ての移動体通信機器１０のＩＰアドレスと電話番号が対で登録されており、発信先電話番号がこのサーバーに入力された時、このデータテーブルを検索することにより、発信先のＶＯＩＰ交換機のＩＰアドレスと移動体通信機器のＩＰアドレスが容易に得られる構成となっている。
【００１０】
ＶＯＩＰアダプター８０のＩＰアドレスは、接続しているアクセスポイントに対して割り当てられているが、常時接続型のインターネット接続であっても、接続が中断後、再開した時に新たなＶＯＩＰ交換機ののＩＰアドレスが割り当てられる場合や、ダイヤルアップ時にＶＯＩＰ交換機ののＩＰアドレスが割り当てられる場合には、ＶＯＩＰサーバー５０の自動更新プログラムによりその更新処理が行われる。
ＶＯＩＰサーバー５０の中央処理装置は、メインメモリ中の制御プログラムの指令を受け、ＶＯＩＰ交換機３０から受信した移動体通信機器１０のパケットを読み出す。パケットは電話番号と更新されたＶＯＩＰ交換機側のＩＰアドレスを含んでいる。中央処理装置は、メインメモリ中の制御プログラムの指令を受け、データテーブルを移動体通信機器の電話番号で検索し、該当した電話番号に対応するＶＯＩＰ交換機のＩＰアドレスを、新しいＶＯＩＰ交換機のＩＰアドレスで更新する。
【００１１】
図３は、ＶＯＩＰ交換機３０のデータテーブルの構成を示したものである。図３に示すように、ＶＯＩＰ交換機のデータテーブルは、ＶＯＩＰ交換機が管理している移動体通信業者の無線交換機２０に接続されている全ての移動体通信機器１０のＩＰアドレスと電話番号が対で登録されており、発信先電話番号がこのＶＯＩＰ交換機に入力された時、このデータテーブルを検索することにより、移動体通信機器のＩＰアドレスが容易に得られる構成となっている。
このように構成されたインターネットを使用した電話システムでは、固定電話機９０はＶＯＩＰアダプター８０を介してインターネット回路網５０に接続されインターネット通話装置として利用可能になる。
【００１２】
インターネット通話を行う場合における、移動体通信機器１０の通話要求から接続までの処理手順例を、図４の接続フローチャートを使用して説明する。
＊移動体通信機器
ユーザーＡが移動体通信機器１０からユーザーＢの固定電話９０にインターネット通話を行う場合には、先ず、移動体通信機器１０のインターネット通話の識別番号（例えば＃ボタン）を押した後に、相手の固定電話９０の電話番号（ユーザーＩＤ）を「ダイヤル」する。例えば、＃０３−１２３４−５６７８とダイヤルする。
尚、インターネット通話の識別番号は、＃ボタンに限らず電話番号の前に特定のボタンを押すか又は＃ボタン以外の識別番号を任意に選択することが可能である。
電話番号（ユーザーＩＤ）には、ＶＯＩＰアダプターに接続された固定電話９０の電話番号をそのまま使用する。
【００１３】
＊移動体通信業者
インターネット通話要求元の移動体通信機器１０の接続された移動体通信業者の無線交換機２０は、移動体通信機器１０のインターネット通話の識別番号＃を確認すると、移動体通信機器１０の接続要求をＶＯＩＰ交換機３０に転送する。接続要求の内容はユーザーＡとユーザーＢの電話番号（ユーザーＩＤ）である。ＶＯＩＰ交換機３０は、無線交換機２０の接続要求を受けると、相手のユーザーＢの電話番号（ユーザーＩＤ）がＶＯＩＰ交換機のデータテーブルに登録されているかどうかの判定を行い、登録されている場合にはインターネット通話要求を、ＶＯＩＰサーバー５０のディレクトリサーバーシステムに「発信」する。
インターネット通話要求の内容は、ユーザーＡのＩＰアドレスと電話番号（ユーザーＩＤ）及びユーザーＢの電話番号（ユーザーＩＤ）である。
ＶＯＩＰ交換機３０は、検索の結果、登録されているユーザーＢの電話番号（ユーザーＩＤ）に該当するものが無い場合には、未加入電話であると判断して相手の番号が登録されていないことを音声のガイダンスで通話要求先のユーザーＡに返信する。
このガイダンスを受けると、通話要求先のユーザーＡは、電話機１０からインターネット通話の識別番号（例えば＃ボタン）を押さずに、相手の公衆電話の電話番号をダイヤルすることにより、ＶＯＩＰ交換機３０に公衆電話であることを認識させ、ＮＴＴ電話交換機６０を介して公衆電話の回線網７０に接続し公衆電話網を通して通話が行われる。
【００１４】
＊ＶＯＩＰサーバー
ＶＯＩＰ交換機３０より移動体通信機器１０の通話要求を受け取ったＶＯＩＰサーバー５０の中央処理装置は、メインメモリ中の制御プログラムの指令により、ＶＯＩＰ交換機３０とユーザーＡのＩＰアドレスによりデータテーブルを検索し、登録されているユーザーＢの電話番号（ユーザーＩＤ）のデータを検索する。
ＶＯＩＰサーバー５０の中央処理装置は、データテーブルを検索した結果、ユーザーＢ電話番号と一致するデータを特定すると、データテーブルから読み出し、ユーザーＢの電話番号に対応するＷＡＮ側のＩＰアドレス、ＶＯＩＰアダプターのＩＰアドレスに変換し、これを使用してインターネット回路網４０を通して通話相手のユーザーＢのＶＯＩＰアダプター８０に接続し、呼出しを行う。
【００１５】
呼出を受けたユーザーＢの電話機に接続されたＶＯＩＰアダプター８０は、ユーザーＢの電話番号（ユーザーＩＤ）とＩＰアドレス、通話要求先のユーザーＡの電話番号（ユーザーＩＤ）をＶＯＩＰサーバー５０に返信することにより応答する。ＶＯＩＰサーバー５０はユーザーＢの電話機に接続されたＶＯＩＰアダプター８０からの返信データを発信者のユーザーＡの電話機の接続されたＶＯＩＰ交換機３０に転送することにより相手との通話が確立される。
ＶＯＩＰサーバー５０は、データテーブルを検索した結果、登録されている電話番号（ユーザーＩＤ）に該当するものが無い場合には、未加入電話であると判断して相手の番号が登録されていないことを音声のガイダンスで通話要求先のユーザーＡに返信する。
このガイダンスを受けると、通話要求先のユーザーＡは、電話機１０からインターネット通話の識別番号（例えば＃ボタン）を押さずに、相手の公衆電話の電話番号をダイヤルすることにより、ＶＯＩＰ交換機３０に公衆電話であることを認識させ、ＮＴＴ電話交換機６０を介して公衆電話の回線網７０に接続しの公衆電話網を通して通話が行われる。
【００１６】
次に、固定電話から移動体通信機器にインターネット通話を行う場合における、電話機９０の通話要求から接続までの処理手順例を、図５の接続フローチャートを使用して説明する。
＊ＶＯＩＰアダプター，電話機
本発明の移動体通信機器によるインターネット電話システムでは、インターネット通話と公衆電話回線とを区別するために、電話番号の前に識別番号を付けるようにしていおり、識別番号が付けられた場合は公衆電話回線に接続するようにしている。
ユーザーＢが電話機９０からユーザーＡの移動体通信機器１０にインターネット通話を行う場合には、先ず、電話機９０のインターネット通話の識別番号（例えば＃ボタン）を押さずに、相手の電話番号（ユーザーＩＤ）を「ダイヤル」する。例えば、０９０−１２３４−５６７８とダイヤルする。尚、インターネット通話の識別番号は、＃ボタンに限らず電話番号の前に特定のボタンを押すか又は＃ボタン以外の識別番号を任意に選択することが可能である。
電話番号（ユーザーＩＤ）には、インターネットに接続された移動体通信機器又は公衆電話の電話番号をそのまま使用する。
【００１７】
＊ＶＯＩＰサーバー
インターネット通話要求元のＶＯＩＰアダプター８０は、電話機９０のインターネット通話の発信を確認すると、インターネット通話要求を、ＶＯＩＰサーバー５０のディレクトリサーバーシステムに「発信」する。
ＶＯＩＰアダプター９０の通話要求の発信データは、相手のユーザーＢの電話の番号（ユーザーＩＤ）と、ユーザーＡの電話の番号（ユーザーＩＤ）である。
ＶＯＩＰアダプター８０の発信データは、インターネットプロバイダのアクセスポイント４２を通してインターネット回路網４０に接続されているＶＯＩＰサーバー５０のＩＰアドレスに送信することによってＶＯＩＰサーバー５０に通知される。
【００１８】
ＶＯＩＰアダプター８０の通話要求を受け取ったＶＯＩＰサーバー５０の中央処理装置は、メインメモリ中の制御プログラムの指令を受け、受信した通話要求先のユーザーＡの検索を行う。
ＶＯＩＰサーバー５０の中央処理装置は、データテーブルを検索した結果、ユーザーＡ電話番号と一致するデータを特定すると、データテーブルから読み出しユーザーＡのＶＯＩＰ交換機３０に発信する。
発信データはユーザーＢの電話の番号（ユーザーＩＤ）等のデータとユーザーＡの電話の番号（ユーザーＩＤ）とユーザーＡの移動体通信機器１０が接続されたＶＯＩＰ交換機３０のＩＰアドレスである。
ＶＯＩＰ交換機３０はＶＯＩＰサーバー５０の発信データによりユーザーＢの電話番号（ユーザーＩＤ）とユーザーＡの電話番号（ユーザーＩＤ）のデータを無線交換機２０にに送信する。
無線交換機２０はＶＯＩＰ交換機３０のデータによりユーザーＡの呼び出しを行う。
【００１９】
呼出を受けたユーザーＡの移動体通信機器１０が応答すると、ＶＯＩＰ交換機３０は、ユーザーＡの電話番号（ユーザーＩＤ）とＩＰアドレス、通話要求先のユーザーＢの電話番号（ユーザーＩＤ）をＶＯＩＰサーバー５０に返信する。
ＶＯＩＰサーバー５０はユーザーＡの移動体通信機器１０が接続されたＶＯＩＰ交換機３０からの返信データを発信者のユーザーＢの電話機の接続されたＶＯＩＰアダプター８０に転送することにより相手との通話が確立される。
ＶＯＩＰサーバー５０は、データテーブルを検索した結果、登録されている電話番号（ユーザーＩＤ）に該当するものが無い場合には、未加入電話であると判断して相手の番号が登録されていないことを音声のガイダンスで通話要求先のユーザーＢに返信し、公衆回線網を使用してリダイアルを行う。
インターネット通話を行わない場合は、通話要求先のユーザーＢは、電話機９０からインターネット通話の識別番号（例えば＃ボタン）を押した後に、相手の公衆電話の電話番号をダイヤルすることにより、ＶＯＩＰアダプター８０に公衆電話であることを認識させ、公衆電話の回線網７０に接続しの公衆電話網を通して通話が行われる。
【００２０】
このように、電話機９０が接続されたＶＯＩＰアダプター８０が、識別信号をチェツクすることにより、インターネット電話と一般の電話とを識別して、インターネット電話の場合にはユーザーＩＤとして使用される公衆電話の番号をＶＯＩＰサーバー５０の中央処理装置に送ることにより、ＶＯＩＰサーバー５０が登録されているデータテーブルを検索し、検索の結果、電話番号と一致するものがある場合には、その電話番号に対応して登録されている発信先のＶＯＩＰ交換機又はＶＯＩＰアダプターのＩＰアドレスに発信することにより、インターネットプロバイダに接続された電話機の間で公衆電話回線を使用せずに通話を行うことが出来る。
又、電話機９０が接続されたＶＯＩＰアダプター８０がインターネット電話ではないと判断した場合や、ＶＯＩＰサーバー５０が登録されているデータテーブルを検索した結果、電話番号と一致するものが無い場合には、ＶＯＩＰアダプター８０を介して公衆電話回線に接続された電話機とも通話が可能となり、発信元や発信先が加入電話かインターネット通話装置かにかかわらず従来の加入電話と同じ操作性により通話を行うことができる。
【００２１】
上記のように、本発明の移動体通信機器によるインターネット電話システムでは、移動体通信機器が接続された移動体通信業者の無線交換機２０が、識別信号をチェツクすることにより、インターネット電話と一般の電話とを識別して、インターネット電話の場合にはＶＯＩＰ交換機３０を介してユーザーＩＤとして使用される公衆電話の番号をＶＯＩＰサーバー５０の中央処理装置に送ることにより、ＶＯＩＰサーバー５０は登録されているデータテーブルを検索し、検索の結果、電話番号と一致するものがある場合には、その電話番号に対応して登録されている発信先のＶＯＩＰアダプター８０のＩＰアドレスに発信することにより、インターネットプロバイダに接続された電話機に公衆電話回線を使用せずに通話を行うことが出来る。
又、ＶＯＩＰ交換機３０やＶＯＩＰサーバー５０が登録されているデータテーブルを検索した結果、電話番号と一致するものが無い場合には、移動体通信業者の無線交換機２０がＮＴＴ交換機６０を介して公衆電話回線に接続することにより、インターネットに接続されていない電話機とも通話が可能となり、発信元や発信先が加入電話かインターネット通話装置かにかかわらず従来の加入電話と同じ操作性により通話を行うことができる。
【００２２】
本発明の移動体通信機器によるインターネット電話システムは、移動体通信業者内にＶＯＩＰ交換機を設置するだけで、移動体通信機器の使用者の負担は全く無く、既存の設備を利用出来るため事業者の多額な設備投資は不要であり、又、インターネットに加入している移動体通信機器と電話機間での通話料は、インターネットサービスプロバイダの接続料金を除けば、距離にかかわらず、基本的に無料であるので、移動体通信機器と固定電話機との通話の費用を大幅に低減することが出来る。
特に、ＶＯＩＰアダプター８０とインターネットプロバイダ間の接続方法が、専用線接続、ＣＡＴＶ用のケーブルモデム接続、無線接続のいずれかの常時接続型の場合は加入電話契約が不要になり経費の節減が出来る。
又、本発明の移動体通信機器によるインターネット電話システムでは、インターネット回路網の中にＶＯＩＰサーバー５０を設置したことにより、異なったインターネットプロバイダに接続された移動体通信業者のＶＯＩＰ交換機３０に接続された移動体通信機器やＶＯＩＰアダプターに接続された固定電話とも通話が可能になり、インターネットプロバイダは、インターネット接続サービスだけでなく使い勝手の良い電話通話サービスも提供することが可能になる。
【００２３】
【発明の効果】
以上の説明より明らかなように、本発明の移動体通信機器によるインターネット電話システムは、移動体通信機より固定電話機に通信を行う場合に、公衆電話回線とインターネット回路網とを区別する識別信号を付けた電話番号を送信し、移動体通信業者の無線交換機を移動体通信機を公衆電話回線とインターネット回路網とに識別信号に応じて切り替え接続が行えるように設定するとともに、インターネット回路網に接続する場合には音声信号処理を行うＶＯＩＰに対応した機能を持ったＶＯＩＰ交換機を通してインターネット回路網に接続し、インターネット回路網の中にＶＯＩＰ交換機を特定するＩＰアドレスとＩＰアドレスで特定されたＶＯＩＰ交換機に登録されている移動体通信機のＩＰアドレスと電話番号を対にして設定されている登録データを持ち電話番号とＩＰアドレスの登録データの管理を行うゲートキーパー機能を持ったＶＯＩＰサーバーを設け、移動体通信機より移動体通信業者の無線交換機とＶＯＩＰ交換機とインターネット回路網を通してＶＯＩＰサーバーにアクセスし接続先の電話番号を指定することにより、指定した接続先のインターネットのＩＰアドレスが設定されている電話機に接続するように構成して、インターネットプロバイダに接続された固定電話機に公衆電話回線を使用せずに通話を行えるようにしたものである。
【００２４】
これにより、本発明の移動体通信機器によるインターネット電話システムでは、インターネットに加入している移動体通信機器と電話機間での通話料は、インターネットサービスプロバイダの接続料金を除けば、距離にかかわらず、基本的に無料であるので、移動体通信機器と固定電話機との通話の費用を大幅に低減することが出来る。
特に、ＶＯＩＰアダプター８０とインターネットプロバイダ間の接続方法が、専用線接続、ＣＡＴＶ用のケーブルモデム接続、無線接続のいずれかの常時接続型の場合は加入電話契約が不要になり経費の節減が出来る。
このため、本発明の移動体通信機器によるインターネット電話システムは、あらかじめインターネット通話装置に割り当てられた公衆回線の電話番号とネットワークアドレスを対応させることが出来るので、加入電話からインターネット通話装置への発信、インターネット通話装置から加入電話への発信、インターネット通話装置からインターネット通話装置への発信、が容易に実現できる。
【図面の簡単な説明】
【図１】本発明の移動体通信機器によるインターネット電話システム
の一実施例の構成例を示す説明図である。
【図２】ＶＯＩＰサーバー５０のデータテーブルの構成を示したものである。
【図３】ＶＯＩＰ交換機３０のデータテーブルの構成を示したものである。
【図４】インターネット通話を行う場合における、移動体通信機器１０の通話要求から接続までの処理手順例を示すフローチャートである。
【図５】インターネット通話を行う場合における、電話機９０の通話要求から接続までの処理手順例を示すフローチャートである。
【図６】従来の移動体通信機器から固定電話に接続を行う場合の電話システムを説明する図である。
【符号の説明】
１０，１１・・・移動体通信機器，
２０・・・移動体通信業者の無線交換機，
３０・・・ＶＯＩＰ交換機，
４０・・・インターネット回路網，
４１，４２・・・インターネットプロバイダのアクセスポイント，
５０・・・ＶＯＩＰサーバー，
６０・・・ＮＴＴ交換機，
７０・・・公衆回線のアナログ電話網，
８０・・・ＶＯＩＰアダプター，
９０・・・公衆回線の電話機，
【図１】
2004048215.tif 000003
【図２】
2004048215.tif 000004
【図３】
2004048215.tif 000005
【図４】
2004048215.tif 000006
【図５】
2004048215.tif 000007
【図６】
2004048215.tif 000008